【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
工業オートメーションプロトコルに従って動作する通信ネットワークに通信可能に結合される資産追跡管理デバイスによって使用される資産追跡管理方法であって、
前記資産追跡管理デバイスが、前記資産追跡管理デバイスに対応しかつ前記資産追跡管理デバイスの空間位置を指示する位置データを取得すること、
前記資産追跡管理デバイスが、前記工業オートメーションプロトコルに従うとともに前記位置データの少なくとも一部に対応する内容を含むメッセージを生成すること、
前記資産追跡管理デバイスが、前記工業オートメーションプロトコルを使用して、前記メッセージを、前記通信ネットワークを介して資産追跡管理ホストに送信すること、
を含み、
前記工業オートメーションプロトコルは、工程管理環境内の工程変数の管理または監視に対応する情報を通信するために定義されるメッセージを含む、
資産追跡管理方法。
【請求項２】
前記位置データを取得することは、全地球測位システムに関連付けられる絶対位置情報を取得することを含み、
前記空間位置は相対空間位置であり、
前記資産追跡管理方法は、前記絶対位置情報に基づいて前記相対空間位置を求めることをさらに含み、
前記相対空間位置は、前記通信ネットワークにおいて基準点に関して定義される、
請求項１に記載の資産追跡管理方法。
【請求項３】
前記メッセージを生成することは、
前記資産追跡管理デバイスの前記空間位置を指示するための位置指示フィールドを生成すること、
前記位置指示フィールドを前記メッセージ内に含めること、
前記位置指示フィールドに、前記位置データの前記少なくとも一部をデータ投入すること、
を含む、請求項１又は請求項２に記載の資産追跡管理方法。
【請求項４】
前記資産追跡管理デバイスは、前記工程管理環境内の管理ループ内で使用される工程変数の管理または監視の少なくとも一方を実行する野外装置であり、
前記資産追跡管理デバイスは、前記通信ネットワーク内のノードとして動作するために、完全イネーブルリンクを介して前記通信ネットワークに結合される、
請求項１〜請求項３の何れか１項に記載の資産追跡管理方法。
【請求項５】
前記野外装置が動作中に遭遇する異常状態を報告するための、前記メッセージに含まれるアラームデータを生成すること、及び
前記野外装置によって監視される前記工程変数の定期測定値を報告するための、前記メッセージに含まれる定期更新データを生成すること
の少なくとも一方をさらに含む、請求項４に記載の資産追跡管理方法。
【請求項６】
前記資産追跡管理デバイスは、前記工程管理環境内で動作する野外装置と通信するように構成されるポータブル通信デバイスであり、
前記野外装置は、前記工程管理環境内の管理ループ内で使用される工程変数の管理および監視のうちの少なくとも一方を実行する、請求項１〜請求項５の何れか1項に記載の資産追跡管理方法。
【請求項７】
前記メッセージを送信することは、前記メッセージを、無線接続リンクを介して、前記通信ネットワーク内で動作する野外装置に送信することを含み、
前記無線接続リンクは、前記通信ネットワーク内でノードとして動作するデバイスと前記通信ネットワーク内でノードとして動作しないデバイスとの間の通信をサポートするように構成される、請求項６に記載の資産追跡管理方法。
【請求項８】
前記メッセージを生成することは、無線工業オートメーションプロトコルに従って前記メッセージを生成することを含む、請求項１〜請求項７の何れか1項に記載の資産追跡管理方法。
【請求項９】
前記メッセージは、位置指示フィールドと、測定値または環境情報のうちの少なくとも一方とを含む、請求項１〜請求項８の何れか1項に記載の資産追跡管理方法。
【請求項１０】
工程管理環境に結合され且つ工業オートメーションプロトコルに従って動作する通信ネットワーク内で動作する資産追跡管理デバイスであって、
前記通信ネットワークと通信するためのネットワークインタフェースと、
位置決定モジュールと、
メッセージ生成ユニットと、
を備え、
前記工業オートメーションプロトコルは、前記工程管理環境内の工程変数の管理または監視に関連するデータを通信するために定義されるメッセージを含み、
前記位置決定モジュールは、前記資産追跡管理デバイスと、前記通信ネットワーク内の第１のノードとして動作し且つ前記資産追跡管理デバイスに通信可能に結合されるターゲットデバイスとの少なくとも一方の空間位置を決定し、
前記メッセージ生成ユニットは、前記工業オートメーションプロトコルに従い且つ前記決定された空間位置の指示を含むメッセージを生成するとともに、前記メッセージを、前記工業オートメーションプロトコルを使用しかつ前記ネットワークインタフェースを介して、前記通信ネットワーク内の第２のノードとして動作するホストに送信するように構成される、
資産追跡管理デバイス。
【請求項１１】
前記ターゲットデバイスは、前記資産追跡管理デバイスとは物理的に別個であり、
前記ターゲットデバイスおよび前記資産追跡管理デバイスは通信リンクを介して結合され、
前記メッセージ生成ユニットは、前記メッセージを、前記ネットワークインタフェース、前記通信リンク、および前記ターゲットデバイスを介して前記ホストに送信するように構成される、請求項１０に記載の資産追跡管理デバイス。
【請求項１２】
前記資産追跡管理デバイスは、前記工程管理環境内で物理的機能を実行するための野外機能モジュールを含む前記工程管理環境内の野外装置であり、前記物理的機能は、工程変数の監視または管理のうちの少なくとも一方に対応する、請求項１０又は請求項１１に記載の資産追跡管理デバイス。
【請求項１３】
前記資産追跡管理デバイスはポータブル通信デバイスであり、
前記ポータブル通信デバイスは、
操作者からコマンドを受け取るための入力デバイスと、
情報を前記操作者に対して表示するための出力デバイスと、
をさらに備え、
前記ターゲットデバイスは、前記工程管理環境内で物理的機能を実行するための野外機能モジュールを含む前記工程管理環境内の野外装置であり、前記物理的機能は、工程変数の測定または管理のうちの少なくとも一方に対応する、請求項１０〜請求項１２の何れか１項に記載の資産追跡管理デバイス。
【請求項１４】
工程管理環境内で、前記工程管理環境内の工程変数の管理または監視に関連するデータの送信のために定義され且つ前記工程管理環境に関連付けられる資産の空間位置を示す位置データを含むメッセージを含む工業オートメーションプロトコルに従って動作する通信ネットワークに通信可能に結合されるホストによって実行される資産追跡管理方法であって、
前記ホストが、前記通信ネットワークを介して、前記工業オートメーションプロトコルに従うメッセージを受信すること、
前記ホストが、データベースから、前記資産を記述するデータを含む資産デバイス記述を自動的に取り出すこと、
前記ホストが、前記位置データおよび前記資産デバイス記述に基づいて資産追跡管理情報を生成すること、
前記ホストが、前記資産追跡管理情報をデータストレージデバイス内に記憶すること、または、ユーザインタフェースを介して前記資産追跡管理情報を提示することのうちの少なくとも１つを行うこと、
を含む、資産追跡管理方法。
【請求項１５】
前記資産は、前記工程管理環境において物理的機能を実行する野外装置であり、
前記物理的機能は、前記工程管理環境の管理ループ内で使用される工程変数の位置決め、管理、測定または監視のうちの少なくとも１つを含み、
前記資産デバイス記述は、前記野外装置のタイプまたは前記野外装置の固有の識別子のうちの少なくとも一方を含む、
請求項１４に記載の資産追跡管理方法。
【請求項１６】
前記受信されたメッセージは、前記工程管理環境内の野外装置の監視および管理の少なくとも一方のためにポータブル通信デバイスから発信されたものであり、
前記受信されたメッセージは、前記資産の識別情報の指示をさらに含む、
請求項１４に記載の資産追跡管理方法。
【請求項１７】
前記位置データを考慮して命令を生成すること、および
前記命令を、前記工業オートメーションプロトコルを使用して、前記通信ネットワークを介して前記ポータブル通信デバイスに送信すること、
をさらに含む、請求項１６に記載の資産追跡管理方法。
【請求項１８】
前記ユーザインタフェースを介して、前記空間位置に対応する領域の地図を表示することをさらに含み、
前記ユーザインタフェースを介して前記資産追跡管理情報を提示することは、前記領域の前記地図に前記資産の前記空間位置の指示を表示することを含む、
請求項１４〜請求項１７の何れか1項に記載の資産追跡管理方法。
【請求項１９】
前記資産に対応し且つそれぞれの位置データを含む複数のメッセージを受信すること、
前記資産に対応する履歴位置データを生成するために、前記それぞれの位置データを前記データベース内に記憶すること、
をさらに含む、請求項１４〜請求項１８の何れか1項に記載の資産追跡管理方法。
【請求項２０】
工程管理環境内で、前記工程管理環境内の工程変数の管理または監視に関連するデータを通信するために定義されるメッセージを含む工業オートメーションプロトコルに従って動作する通信ネットワークに通信可能に結合されるネットワークインタフェースと、
前記ネットワークインタフェースを介して前記工業オートメーションプロトコルに従い且つ資産の空間位置を示す位置データを含むメッセージを受信し、 前記資産を記述するデータを含む資産デバイス記述をデータベースから取り出し、前記資産デバイス記述および前記位置データに基づいて資産追跡管理情報を生成するように構成されると共に、前記通信ネットワークに結合される資産追跡管理ユニットと、
を備える、資産追跡管理ホスト。
【請求項２１】
前記資産追跡管理情報、前記位置データ、前記空間位置、または前記資産デバイス記述のうちの少なくとも１つを表示するように構成されるユーザインタフェースに対する接続をさらに備える、請求項２０に記載の資産追跡管理ホスト。
【請求項２２】
前記通信ネットワークは無線メッシュ通信ネットワークであり、
前記ネットワークインタフェースはゲートウェイデバイスを介して前記通信ネットワークに結合され、
前記ネットワークインタフェースは有線通信リンクを介して前記ゲートウェイデバイスと通信し、
前記ゲートウェイデバイスは、無線通信リンクを介して前記無線メッシュ通信ネットワークの少なくとも１つのノードと通信する、
請求項２０又は請求項２１に記載の資産追跡管理ホスト。
【請求項２３】
工程管理環境内で動作する資産追跡管理システムであって、
工業オートメーションプロトコルを使用して通信する複数のノードを含む通信ネットワークと、
資産追跡管理デバイスと、
を備え、
前記工業オートメーションプロトコルは、前記工程管理環境内の１つまたは複数の管理ループの１つまたは複数のそれぞれの物理的機能に対応する工程データを通信するために定義されるメッセージを含み、
前記通信ネットワーク内の前記複数のノードは、
資産追跡管理ホストと、
各々前記工程管理環境内の１つまたは複数の管理ループに対応する１つまたは複数のそれぞれの物理的機能を実行する複数の野外装置と、
を含み、
前記資産追跡管理デバイスは、前記資産追跡管理デバイスの空間位置を示す位置データを生成するとともに、前記位置データを前記複数の野外装置のうちの１つに提供するように構成され、
前記複数の野外装置のうちの１つは、前記資産追跡管理ホストに、前記工業オートメーションプロトコルに従うメッセージ内の前記位置データを送信する、
資産追跡管理システム。
【請求項２４】
前記資産追跡管理デバイスは、全地球測位システム信号に基づいて前記位置データを生成し、
前記資産追跡管理デバイスは、前記全地球測位システム信号を受信するとともに前記全地球測位システム信号を前記資産追跡管理デバイスに再放射するための再放射アンテナのセットをさらに備える、
請求項２３に記載の資産追跡管理システム。
【請求項２５】
前記メッセージは、前記空間位置に対応する環境情報、または前記複数の野外装置のうちの前記１つに対応する工程管理データのうちの少なくとも一方をさらに含む、請求項２３又は請求項２４に記載の資産追跡管理システム。
【請求項２６】
工程管理環境内で、前記工程管理環境内の工程変数の管理または監視に関連するデータの送信のために定義され且つ特定の資産の空間位置を示す位置データを含む第１のメッセージを含む工業オートメーションプロトコルに従って動作する通信ネットワークに通信可能に結合されるホストによって実行される資産追跡管理方法であって、
前記ホストにおいて前記通信ネットワークを介して、前記工程管理環境の前記特定の資産に対応し且つ前記工業オートメーションプロトコルに従う第２のメッセージを受信すること、
前記第２のメッセージ、および、タイムスタンプの指示の各々の内容をデータストレージデバイス内に記憶すること、
要求に応答して、前記記憶されている内容の少なくとも一部を提示すること、
を含む、資産追跡管理方法。
【請求項２７】
前記第２のメッセージを受信することは、前記工程管理環境に関連付けられる物理的実体または生物学的実体に対応するメッセージを受信することを含む、請求項２６に記載の資産追跡管理方法。
【請求項２８】
前記物理的実体は、
前記工程管理環境内の管理ループ内で使用される工程変数の管理または監視の少なくとも一方を実行する野外装置、
前記工程管理環境内の物理ロケーション、
前記工程管理環境の一個の機器、
前記工程管理環境内で使用もしくは製造される材料、または
前記工程管理環境に対応するバッチ
のうちの１つであり、
前記工程管理環境に関連付けられる前記生物学的実体は人である、
請求項２７に記載の資産追跡管理方法。